(57)【特許請求の範囲】
【請求項１】
表面側に、複数個の部分球状凹所(13a,13b,13c)が、放射方向へ３個以上の奇数個の列として、及び円周方向へ３個以上の奇数個の列として、分布して形成されているとともに、前記複数個の部分球状凹所(13a,13b,13c)は、放射方向へ外側の部分球状凹所(13a,13b,13c)程、開口部(14)の径を大きくされていることを特徴とするスピーカ用振動板。
【請求項２】
円周方向への奇数個の部分球状凹所(13a,13b,13c)の列は、円周方向へ奇数個、好ましくは３個の群(16a,16b,16c)に分かれ、各群(16a,16b,16c)が占める中心角は等しく設定され、円周方向へ隣接する群(16a,16b,16c)間において、円周方向へ最も近い部分球状凹所(13a,13b,13c)の開口部(14)の中心間の角度間隔ａ２は、群(16a,16b,16c)内で円周方向へ隣接する部分球状凹所(13a,13b,13c)の開口部(14)の中心間の角度間隔ａ１よりも大きいことを特徴とする請求項１記載のスピーカ用振動板。
【請求項３】
前記角度間隔ａ２は前記角度間隔ａ１の１．５〜３倍、好ましくは２倍でとされていることを特徴とする請求項２記載のスピーカ用振動板。
【請求項４】
前記部分球状凹所(13a,13b,13c)の奥部範囲(17)では、前記部分球状凹所(13a,13b,13c)における他の範囲(18)より肉厚を増大されていることを特徴とする請求項１〜３のいずれかに記載のスピーカ用振動板。
【請求項５】
前記部分球状凹所(13a,13b,13c)の奥部範囲(17)は、前記部分球状凹所(13a,13b,13c)における他の範囲(18)と肉厚を均等にしつつ、前記部分球状凹所(13a,13b,13c)の内面に対して凹部(19)となっていることを特徴とする請求項１〜３のいずれかに記載のスピーカ用振動板。
【請求項６】
ポリプロピレンの射出成型品から成ることを特徴とする請求項１〜５のいずれかに記載のスピーカ用振動板。
【発明の詳細な説明】
【０００１】
【発明の属する技術分野】
この発明は、オーディオ機器等のスピーカ装置の振動板に係り、詳しくは強化構造を備えるスピーカ用振動板に関するものである。
【０００２】
【従来の技術】
図３は従来のスピーカ用振動板３０の正面図である。円錐状のスピーカ用振動板３０は、強度を増加するために、表面側に例えば５個の隆起状リブ３１を円周方向へ等角度間隔に有している。図４及び図５は図３のそれぞれＩＶ−ＩＶ線及びＶ−Ｖ線に沿う断面図である。図４において、左側及び右側はスピーカ用振動板３０の中心側及び周辺側に対応し、上側及び下側はそれぞれ表面側及び裏面側に対応する。隆起状リブ３１において、スピーカ用振動板３０の円周方向の両側縁部は角部３２となっている。
【０００３】
【発明が解決しようとする課題】
従来のスピーカ用振動板３０の問題点を列挙すると次のとおりである。
（ａ）スピーカ用振動板３０の表面では、スピーカ用振動板３０の中心部が前方へ変位する期間、スピーカ用振動板３０の周辺から中心へ、すなわち放射方向内方へ向かって空気が流れることになるが、隆起状リブ３１がこの空気の流れに対して抵抗として作用し、音質に影響を与える。
（ｂ）同一の隆起状リブ３１が、円周方向へ等角度間隔に存在するのみであり、強度増加効果が小さい。
（ｃ）隆起状リブ３１の幅方向両側部の角部３２の存在は、隆起状リブ３１の幅方向へ広がろうとする音の阻害原因になる。
【０００４】
【課題を解決するための手段】
この発明のスピーカ用振動板（１０）によれば、表面側に、複数個の部分球状凹所（１３ａ，１３ｂ，１３ｃ）が、放射方向及び円周方向へ分布して形成されている。
【０００５】
スピーカ用振動板（１０）における放射方向及び円周方向への分布した部分球状凹所（１３ａ，１３ｂ，１３ｃ）の存在によりスピーカ用振動板（１０）は強化される。部分球状凹所（１３ａ，１３ｂ，１３ｃ）は、スピーカ用振動板（１０）の表面側に凹部として存在するので、凸部として存在する場合に比して、スピーカ用振動板（１０）の表面における空気の流れに対する抵抗しての作用を大幅に減ぜられ、音質の低下を防止する。
【０００６】
この発明のスピーカ用振動板（１０）によれば、部分球状凹所（１３ａ，１３ｂ，１３ｃ）は、放射方向へ奇数個、好ましくは３個の列として形成されている。
【０００７】
部分球状凹所（１３ａ，１３ｂ，１３ｃ）は、放射方向へ奇数個の列となるが、この放射方向への部分球状凹所（１３ａ，１３ｂ，１３ｃ）の並びは、同一の放射線（１１）上の並びに限定されない。放射線（１１）に対して千鳥足状等、放射線（１１）から多少ずれて配列されてもよい。スピーカ用振動板（１０）が放射方向へ分割振動を起こす場合は、その分割振動は放射方向へ偶数分割となる。しかしながら、部分球状凹所（１３ａ，１３ｂ，１３ｃ）は、放射方向へ奇数個、好ましくは３個の列とされることにより、偶数分割が抑えられ、結果、共振による放射方向への分割振動を抑制することができる。
【０００８】
この発明のスピーカ用振動板（１０）によれば、放射方向へ外側の部分球状凹所（１３ａ，１３ｂ，１３ｃ）程、開口部（１４）の径を大きくされている。
【０００９】
スピーカ用振動板（１０）は放射方向へ中心から周辺へ向かう程、等中心角当たりの面積が増大するが、この面積増大に応じて部分球状凹所（１３ａ，１３ｂ，１３ｃ）の開口部（１４）の径が増大されるので、適切な個数でかつ開口部（１４）の大きい部分球状凹所（１３ａ，１３ｂ，１３ｃ）により適切な強度を保持できる。なお、部分球状凹所（１３ａ，１３ｂ，１３ｃ）の開口部の径は等しく維持しつつ、放射方向へ外側の部分程、部分球状凹所（１３ａ，１３ｂ，１３ｃ）の個数を増大する方式もあるが、外周程、リブ効果があまり得られず、音質上、不利となる。
【００１０】
この発明のスピーカ用振動板（１０）によれば、部分球状凹所（１３ａ，１３ｂ，１３ｃ）は、円周方向へ奇数個、好ましくは２１個の列として形成されている。
【００１１】
部分球状凹所（１３ａ，１３ｂ，１３ｃ）は、円周方向へ奇数個の列となるが、この円周方向への部分球状凹所（１３ａ，１３ｂ，１３ｃ）の並びは、同一の円周線（１２）上の並びに限定されない。円周線（１２）に対して千鳥足状等、円周線（１２）から多少ずれて配列されてもよい。スピーカ用振動板（１０）が円周方向へ分割振動を起こす場合は、その分割振動は円周方向へ偶数分割となる。しかしながら、部分球状凹所（１３ａ，１３ｂ，１３ｃ）は、円周方向へ奇数個、好ましくは２１個の列とされることにより、偶数分割が抑えられ、結果、共振による円周方向への分割振動を抑制することができる。
【００１２】
この発明のスピーカ用振動板（１０）によれば、円周方向への奇数個の部分球状凹所（１３ａ，１３ｂ，１３ｃ）の列は、円周方向へ奇数個、好ましくは３個の群（１６ａ，１６ｂ，１６ｃ）に分かれ、各群（１６ａ，１６ｂ，１６ｃ）が占める中心角は等しく設定され、円周方向へ隣接する群（１６ａ，１６ｂ，１６ｃ）間において、円周方向へ最も近い部分球状凹所（１３ａ，１３ｂ，１３ｃ）の開口部（１４）の中心間の角度間隔ａ２は、群（１６ａ，１６ｂ，１６ｃ）内で円周方向へ隣接する部分球状凹所（１３ａ，１３ｂ，１３ｃ）の開口部（１４）の中心間の角度間隔ａ１よりも大きい。
【００１３】
円周方向へ群（１６ａ，１６ｂ，１６ｃ）の間は、適当に部分球状凹所（１３ａ，１３ｂ，１３ｃ）の乏しい範囲となり、すなわち、強度の少し低下した範囲となり。スピーカ用振動板（１０）が円周方向へ分割振動を起こしたときの振動の節になり易い。しかしながら、円周方向への共振によるスピーカ用振動板（１０）の分割振動は偶数分割であり、これに対して、節になり易い部分は、スピーカ用振動板（１０）の円周方向へ等角度間隔に奇数個となっているので、円周方向へのスピーカ用振動板（１０）の分割振動が防止される。
【００１４】
この発明のスピーカ用振動板（１０）によれば、角度間隔ａ２は角度間隔ａ１の１．５〜３倍、好ましくは２倍でとされている。
【００１５】
この発明のスピーカ用振動板（１０）によれば、部分球状凹所（１３ａ，１３ｂ，１３ｃ）の奥部範囲（１７）では、部分球状凹所（１３ａ，１３ｂ，１３ｃ）における他の範囲（１８）より肉厚を増大されている。
【００１６】
部分球状凹所（１３ａ，１３ｂ，１３ｃ）は、奥部範囲（１７）において最も共振し易いが、奥部範囲（１７）における肉厚の増大によりこれを回避して、音質を向上させることができる。
【００１７】
この発明のスピーカ用振動板（１０）によれば、部分球状凹所（１３ａ，１３ｂ，１３ｃ）の奥部範囲（１７）は、部分球状凹所（１３ａ，１３ｂ，１３ｃ）における他の範囲（１８）と肉厚を均等にしつつ、部分球状凹所（１３ａ，１３ｂ，１３ｃ）の内面に対して凹部（１９）となっている。
【００１８】
部分球状凹所（１３ａ，１３ｂ，１３ｃ）は、奥部範囲（１７）において最も共振し易いが、凹部（１９）により所定の剛性が付与される結果、そのような共振を回避して、音質を向上させることができる。
【００１９】
この発明のスピーカ用振動板（１０）によれば、ポリプロピレンの射出成型品から成る。
【００２０】
スピーカ用振動板（１０）をポリプロピレンの射出成型品とすることにより、部分球状凹所（１３ａ，１３ｂ，１３ｃ）の肉厚（特には、奥部範囲（１７）の肉厚）の正確な制御が可能となり、音質を向上できる。さらに、成型時に樹脂に着色剤を混合すれば、スピーカ用振動板（１０）の作動中、その色を時々刻々変化させることができる。
【００２１】
【発明の実施の形態】
以下、発明の実施の形態について図面を参照して説明する。
図１はスピーカ用振動板１０の正面図である。スピーカ用振動板１０は椀状であり、表面側から見て、スピーカ用振動板１０の中心は周辺より奥に引っ込んでいる。スピーカ用振動板１０は、また、ポリプロピレンの射出成型品から成る。放射線１１及び円周線１２は、部分球状凹所１３ａ，１３ｂ，１３ｃの位置を説明するために、図１において書き込んだだけであり、スピーカ用振動板１０に実際に形成されているものではない。合計２１本の放射線１１は、スピーカ用振動板１０の中心から放射方向へ延びており、円周方向へ連続する７本ごとに３個の群１６ａ，１６ｂ，１６ｃを構成している。各群１６ａ，１６ｂ，１６ｃでは、放射線１１の角度間隔ａ１は１５°であり、円周方向へ隣接する群１６ａ，１６ｂ，１６ｃ間で、最近接している放射線１１同士の角度間隔ａ２は３０°であり、ａ２はａ１の１．５〜３倍、好ましくは２倍となっている。３本の円周線１２は、同心に並び、最内側の円周線１２と中央の円周線１２との間隔、及び中央の円周線１２と最外側の間隔共に等しく設定されている。部分球状凹所１３ａ，１３ｂ，１３ｃは円形開口部１４においてスピーカ用振動板１０の表面へ開口し、各円形開口部１４の中心は、各放射線１１と各円周線１２との交点とされている。円形開口部１４は、放射方向の外側の部分球状凹所１３ａ，１３ｂ，１３ｃのもの程、径を増大されている。部分球状凹所１３ａ，１３ｂ，１３ｃは、それが属する放射線１１の群分けに従い、３個の群１６ａ，１６ｂ，１６ｃに分けられる。
【００２２】
スピーカ用振動板１０の各寸法を例示すると、スピーカ用振動板１０の直径は３０ｃｍであり、部分球状凹所１３ａ，１３ｂ，１３ｃの円形開口部１４の径（単位ｍｍ）はそれぞれφ８，φ１１，φ１４である。
【００２３】
図２はスピーカ用振動板１０の所定の放射線１１に沿った断面図である。図２において、左右はスピーカ用振動板１０のそれぞれ放射方向へ中心側及び周辺側に対応し、また、上下はそれぞれスピーカ用振動板１０の表面側及び裏面側に対応する。円形開口部１４の径は、部分球状凹所１３ａ，１３ｂ，１３ｃの順番に増大し、深さも部分球状凹所１３ａ，１３ｂ，１３ｃの順番に増大している。部分球状凹所１３ａ，１３ｂ，１３ｃの部分球面が、球面中心に対して張る立体角は部分球状凹所１３ａ，１３ｂ，１３ｃの順番に小さくなっている。すなわち、放射方向へ外側の部分球状凹所１３ａ，１３ｂ，１３ｃ程、円形開口部１４の径は増大されているが、部分球状凹所１３ａ，１３ｂ，１３ｃの深さは、円形開口部１４の径の増大の割には、深くされていない。部分球状凹所１３ａ，１３ｂ，１３ｃの奥部範囲（最奥部を含む。）１７は、スピーカ用振動板１０の裏面側へ膨出し、部分球状凹所１３ａ，１３ｂ，１３ｃにおける奥部範囲１７を除く範囲としての開口部側範囲１８よりも肉厚を増大されている。
【００２４】
図６は図２の奥部範囲１７の構造の変形例の断面図である。図６の部分球状凹所１３ａ，１３ｂ，１３ｃでは、肉厚は奥部範囲１７及び開口部側範囲１８共に均等とされつつ、奥部範囲１７は背面側へ突出し、部分球状凹所１３ａ，１３ｂ，１３ｃの内面は奥部範囲１７において凹部１９となっている。このような断面構造により奥部範囲１７の剛性が高められる。
【００２５】
部分球状凹所１３ａ，１３ｂ，１３ｃは、図２に示されるように、スピーカ用振動板１０の表面側において、凸部としてではなく、凹部として存在しており、また、部分球状凹所１３ａ，１３ｂ，１３ｃは、スピーカ用振動板１０の表面本体との境界付近において僅かに角部を残すものの、スピーカ用振動板１０の表面を流れる空気に対しては極めて小さい抵抗となる。スピーカ用振動板１０の作動中でスピーカ用振動板１０の中央部が前方へ変位するときは、スピーカ用振動板１０の前面側において空気は、放射方向へスピーカ用振動板１０の周辺から中心へ向かって流れるが、その際、部分球状凹所１３ａ，１３ｂ，１３ｃから受ける抵抗は抑えられ、高い音質が保持される。また、特に左右方向へのスピーカ用振動板１０からの音の広がりについても、このような広がりに対して、各部分球状凹所１３ａ，１３ｂ，１３ｃは小さい抵抗となるので、ユーザへ良好な音質を提供することができる。
【００２６】
スピーカ用振動板１０の共振は放射方向へ偶数分割となるが、スピーカ用振動板１０における放射方向への部分球状凹所１３ａ，１３ｂ，１３ｃの奇数個の存在により、放射方向へのスピーカ用振動板１０の共振が抑えられる。また、部分球状凹所１３ａ，１３ｂ，１３ｃは、等中心角を占める３個の群１６ａ，１６ｂ，１６ｃに分けられ、ａ２はａ１より大きい値に設定されて、円周方向の群１６ａ，１６ｂ，１６ｃの境界部分は、群１６ａ，１６ｂ，１６ｃ内よりスピーカ用振動板１０の強度が弱くされている。スピーカ用振動板１０が円周方向へ共振する場合、強度が他より小さい群１６ａ，１６ｂ，１６ｃの境界部が振動の節になる傾向があり、また、円周方向へのスピーカ用振動板１０の共振は偶数分割であるので、円周方向へのスピーカ用振動板１０の共振は抑制される。さらに、各群１６ａ，１６ｂ，１６ｃでは、部分球状凹所１３ａ，１３ｂ，１３ｃは円周方向へ奇数個の７個であるので、各群１６ａ，１６ｂ，１６ｃにおける円周方向への分割振動も抑制される。各部分球状凹所１３ａ，１３ｂ，１３ｃでも、共振の可能性があるが、奥部範囲１７の肉厚を増大されたことにより各部分球状凹所１３ａ，１３ｂ，１３ｃの共振が抑制される。スピーカ用振動板１０における円周方向の長さは、放射方向外側の部分程、増大するが、外側の部分球状凹所１３ａ，１３ｂ，１３ｃ程、円形開口部１４の径を増大され、部分球状凹所１３ａ，１３ｂ，１３ｃの個数の増大を抑えつつ、該部分の強度を確保している。
【００２７】
部分球状凹所１３ａ，１３ｂ，１３ｃは、奥部範囲１７において最も共振し易いが、奥部範囲１７における肉厚の増大（図２）あるいは凹部１９の形成により奥部範囲１７に所定の剛性が付与され、そのような共振を回避して、音質を向上させることができる。
【００２８】
スピーカ用振動板１０を、着色剤を混合したポリプロピレンの射出成型品とすることにより、スピーカ用振動板１０の作動中、スピーカ用振動板１０の色を時々刻々変化させることができる。
【図面の簡単な説明】
【図１】スピーカ用振動板の正面図である。
【図２】スピーカ用振動板の所定の放射線に沿った断面図である。
【図３】従来のスピーカ用振動板の正面図である。
【図４】図３のＩＶ−ＩＶ線に沿う断面図である。
【図５】図３のＶ−Ｖ線に沿う断面図である。
【図６】図２の奥部範囲の構造の変形例の断面図である。
【符号の説明】
１０    スピーカ用振動板
１１    放射線
１２    円周線
１３ａ，１３ｂ，１３ｃ    部分球状凹所
１４    円形開口部（開口部）
１６ａ，１６ｂ，１６ｃ    群
１７    奥部範囲
１９    凹部
【図１】
0003552558.tif 000002
【図２】
0003552558.tif 000003
【図３】
0003552558.tif 000004
【図４】
0003552558.tif 000005
【図５】
0003552558.tif 000006
【図６】
0003552558.tif 000007